(57)【要約】【課題】耐衝撃性に優れた、レンズ駆動装置を提供すること。【解決手段】レンズ組立体を保持するための筒状部（１４０）を有するレンズホルダ（１４）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ）方向両側に設けられ、レンズホルダを径方向に位置決めした状態で光軸（Ｏ）方向に変位可能に支持する上側板バネ（２２）および下側板バネ（２４）とを備えたレンズ駆動装置（１０）において、レンズホルダ（１４）は、下側板バネ（２４）が当該レンズホルダ（１４）から外れるのを防止するためのＮ個（Ｎは２以上の整数）のバネ外れ防止用ガイド（１４４）を有する。【選択図】      図５
2009210724.tif 000002
【特許請求の範囲】
【請求項１】
レンズ組立体を保持するための筒状部を有するレンズホルダと、該レンズホルダに前記筒状部の周囲に位置するように固定された駆動コイルと、該駆動コイルと対向する永久磁石を備えたヨークと、前記レンズホルダの筒状部の光軸方向両側に設けられ、前記レンズホルダを径方向に位置決めした状態で光軸方向に変位可能に支持する上側板バネおよび下側板バネとを備え、前記上側板バネ及び前記下側板バネの各々は、前記レンズホルダに取り付けられた内周側端部と前記ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置において、
前記レンズホルダは、前記下側板バネが当該レンズホルダから外れるのを防止するためのＮ個（Ｎは２以上の整数）のバネ外れ防止用ガイドを有することを特徴とするレンズ駆動装置。
【請求項２】
前記下側板バネは、前記内周側端部と前記外周側端部との間を連結するために周方向に沿って設けられたＮ個のアーム部と、前記内周側端部から半径方向外側に突設して前記内周側端部と前記Ｎ個のアーム部とを連結するためのＮ個の内周側連結部と、前記外周側端部から半径方向内側に突設して前記外周側端部と前記Ｎ個のアーム部とを連結するＮ個の外周側連結部と、を有し、
前記Ｎ個のバネ外れ防止用ガイドは、それぞれ、前記下側板バネの前記Ｎ個の内周側連結部を支持する、ことを特徴とする請求項１に記載のレンズ駆動装置。
【請求項３】
前記Ｎは３に等しい、請求項１又は２に記載のレンズ駆動装置。
【請求項４】
前記駆動コイルは、一対の引出し線を持ち、
前記Ｎ個のバネ外れ防止用ガイドの中の２個のバネ外れ防止用ガイドは、それぞれ、前記一対の引出し線を引き出すための引出し用穴を持つことを特徴とする、請求項１乃至３のいずれか１つに記載のレンズ駆動装置。
【請求項５】
前記引出し用穴はすり鉢形状をしている、請求項４に記載のレンズ駆動装置。
【発明の詳細な説明】
【技術分野】
【０００１】
本発明はレンズ駆動装置に関し、特に、携帯型小型カメラに用いられるオートフォーカス用レンズ駆動装置に関する。
【背景技術】
【０００２】
カメラ付携帯電話には携帯型小型カメラが搭載されている。この携帯型小型カメラには、オートフォーカス用レンズ駆動装置が用いられる。従来から、種々のオートフォーカス用レンズ駆動装置が提案されている。
【０００３】
例えば、特許文献１（特開２００５−１２８３９２号公報）は、耐衝撃性に優れたレンズ駆動装置を開示している。この特許文献１に開示されたレンズ駆動装置は、略円筒形状のヨークと、このヨークが装着されるベースと、ヨークの内周側に配置されるレンズ支持体（レンズホルダ）と、レンズ支持体に取り付けられる一対の板バネとを備える。一対の板バネは、上側板バネと下側板バネとから成る。上側板バネおよび下側板バネは、それぞれ、前側スプリングおよび後側スプリングとも呼ばれる。前側スプリングはレンズ支持体におけるレンズの光軸方向前側（一方側）に配置され、後側スプリングはレンズの光軸方向後側（他方側）に配置されている。
【０００４】
ヨークは断面が略コ字形状であり、コ字の内部にマグネット（永久磁石）が配置され、コ字の内部でマグネットの内周側にコイル（駆動コイル）が配置されている。マグネットは後方スペーサを介してベースに固定されている。コイル（駆動コイル）はレンズ支持体の外周部に固定されている。レンズ支持体（レンズホルダ）の外周部がヨークの内部に入り込んでいる。これにより、レンズ支持体（レンズホルダ）の外周部はヨークのコ字隙間を移動するようになっている。ベースの内周側にヨークが固定されている。ベースの基底部には後方スペーサとの間に後方スプリングの外周端部が固定されている。
【０００５】
特許文献１に開示されたレンズ駆動装置において、レンズ支持体（レンズホルダ）は略円筒形状であり、その内部にレンズ（レンズ組立体、バレル）が収納されている。レンズ支持体（レンズホルダ）はヨークの内周側を光軸に沿って移動可能に取り付けられている。前側スプリングは略環状の板バネからなり、内周側端部と外周側端部とを有する。前側スプリングの内周側端部は、レンズ支持体（レンズホルダ）とキャップとの間に挟持されて、レンズ支持体（レンズホルダ）に固定されている。前側スプリングの外周側端部とヨークとの間には前方スペーサが介在されている。後側スプリングは、前側スプリングと略同一形状であり、略環状の板バネからなる。後側スプリングの内周側端部はレンズ支持体（レンズホルダ）の後端に固定されている。後側スプリングの外周側端部はベースの基底部と後方スペーサとの間に固定されている。
【０００６】
また、特許文献２（特開２００６−５０６９４号公報）は、バネを介さずにコイルへ電力を供給することができるオートフォーカス用アクチュエータ（レンズ駆動装置）を開示している。この特許文献２に開示されたオートフォーカス用アクチュエータ（レンズ駆動装置）は、一端にレンズ組立体が取り付けられた筒状部を有するホルダ（レンズホルダ）と、このホルダ（レンズホルダ）にホルダの筒状部の周囲に間隔をおいて設けられた駆動コイルと、この駆動コイルと間隔をおいて対向するように配置された複数の永久磁石を備えたヨークと、ホルダ（レンズホルダ）の筒状部の光軸方向両側に設けられ、ホルダ（レンズホルダ）を径方向に位置決めした状態で光軸方向に変位可能に支持する一対の板バネとを備える。駆動コイルに通電することで、永久磁石の磁界とコイルに流れる電流による磁界との相互作用によって、レンズ組立体を光軸方向に位置調整可能である。一対の板バネのうち、一方は上側板バネ（前側スプリング）と呼ばれ、他方は下側板バネ（後側スプリング）と呼ばれる。上側板バネ（前側スプリング）の内環部（内周側端部）は、ホルダの上端（前端）とストッパとの間に挟持された状態で、ホルダ（レンズホルダ）に接着される。下側板バネ（後側スプリング）の内環部（内周側端部）は、ホルダのフランジ側端部の段差に位置決めされた状態で接着される。
【０００７】
また、特許文献２に開示されたオートフォーカス用アクチュエータ（レンズ駆動装置）は、下側板バネとベースとの間に駆動コイルに電力を供給するためのシート状電極を備える。駆動コイルの一対の引出し線は、下側板バネのアーム部の隙間を通して、シート状電極に接続されている。
【０００８】
【特許文献１】特開２００５−１２８３９２号公報（図１、図２）
【特許文献２】特開２００６−５０６９４号公報（図２、図１０）
【発明の開示】
【発明が解決しようとする課題】
【０００９】
前述した特許文献１、２に開示されたレンズ駆動装置では、いずれも、下側板バネの内周側端部（内環部）をレンズホルダの下端に接着して固定（保持）している。その結果、レンズ駆動装置は衝撃に対して弱く、下側板バネの内周側端部（内環部）がレンズホルダの下端から外れてしまうという恐れがある。
【００１０】
また、特許文献２に開示されたレンズ駆動装置では、駆動コイルの一対の引出し線は、下側板バネのアーム部の隙間を通して、シート状電極に接続されている。その結果、引出し線が断線してしまうという懸念がある。
【００１１】
本発明の目的は、耐衝撃性に優れた、レンズ駆動装置を提供することにある。
【００１２】
本発明の他の目的は、駆動コイルの引出し線が断線するのを防止することができる、レンズ駆動装置を提供することにある。
【００１３】
本発明の他の目的は、説明が進むにつれて明らかになるだろう。
【課題を解決するための手段】
【００１４】
本発明によれば、レンズア組立体を保持するための筒状部（１４０）を有するレンズホルダ（１４）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ）方向両側に設けられ、レンズホルダを径方向に位置決めした状態で光軸（Ｏ）方向に変位可能に支持する上側板バネ（２２）および下側板バネ（２４）とを備え、上側板バネ及び下側板バネの各々は、レンズホルダ（１４）に取り付けられた内周側端部（２２１；２４１）とヨーク（２０）に取り付けられた外周側端部（２２２；２４２）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０）において、レンズホルダ（１４）は、下側板バネ（２４）が当該レンズホルダ（１４）から外れるのを防止するためのＮ個（Ｎは２以上の整数）のバネ外れ防止用ガイド（１４４）を有することを特徴とするレンズ駆動装置が得られる。
【００１５】
上記本発明によるレンズ駆動装置（１０）において、下側板バネ（２４）は、内周側端部（２４１）と外周側端部（２４２）との間を連結するために周方向に沿って設けられたＮ個のアーム部（２４３）と、内周側端部（２４１）から半径方向外側に突設して内周側端部（２４１）とＮ個のアーム部（２４３）とを連結するためのＮ個の内周側連結部（２４４）と、外周側端部（２４２）から半径方向内側に突設して外周側端部（２４２）とＮ個のアーム部（２４３）とを連結するＮ個の外周側連結部（２４５）と、を有するものであってよい。この場合、Ｎ個のバネ外れ防止用ガイド（１４４）は、それぞれ、下側板バネ（２４）のＮ個の内周側連結部（２４４）を支持することが好ましい。Ｎは、例えば、３に等しくてよい。駆動コイル（１６）は、一対の引出し線（１６２）を持つ。Ｎ個のバネ外れ防止用ガイドの中の２個のバネ外れ防止用ガイド（１４４）は、それぞれ、一対の引出し線（１６２）を引き出すための引出し用穴（１４４ａ）を持つことが好ましい。引出し用穴（１４４ａ）はすり鉢形状をしていることが好ましい。
【００１６】
尚、上記括弧内の参照符号は、理解を容易にするために付したものであり、一例に過ぎず、これらに限定されないのは勿論である。
【発明の効果】
【００１７】
本発明では、レンズホルダがＮ個のバネ外れ防止用ガイドを有するので、下側板バネが当該レンズホルダから外れるのを防止することができる。
【発明を実施するための最良の形態】
【００１８】
以下、図面を参照して、本発明の実施の形態について説明する。
【００１９】
図１乃至図３を参照して、本発明の一実施の形態によるレンズ駆動装置１０について説明する。図１はレンズ駆動装置１０の外観斜視図であり、図２はレンズ駆動装置１０の断面図であり、図３はレンズ駆動装置１０の分解斜視図である。ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００２０】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００２１】
図示のレンズ駆動装置１０は、オートフォーカス可能なカメラ付き携帯電話に備えられる。レンズ駆動装置１０は、レンズ組立体（バレル）（図示せず）を光軸Ｏ方向に移動させるためのものである。レンズ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、基板と、撮像素子との組み合わせによって、カメラモジュールが構成される。
【００２２】
レンズ駆動装置１０は、レンズ組立体（バレル）を保持するための筒状部１４０を有するレンズホルダ１４と、このレンズホルダ１４に筒状部１４０の周囲に位置するように固定された駆動コイル１６と、この駆動コイル１６と対向する永久磁石１８を備えたヨーク２０と、レンズホルダ１４の筒状部１４０の光軸Ｏ方向両側に設けられた一対の板バネ２２、２４を備える。一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００２３】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００２４】
図３に示されるように、ヨーク２０は八角筒状をしている。ヨーク２０の八角筒は、互いに対向する４長側辺と、これら４長側辺間に配置された４短側辺とから成る。従って、駆動コイル１６も、八角筒状のヨーク２０の形状に合わせた、八角筒状をしている。永久磁石１８は、ヨーク２０の八角筒の各側辺に配置された、８個の矩形状の永久磁石片１８２から成る。ヨーク２０は、八角筒形状の外筒部２０２と、この外筒部２０２の上端（前端）に設けられた八角形のリング端部２０４とを有する。
【００２５】
図２に示されるように、ヨーク２０の外筒部２０２の内周面に、駆動コイル１６と間隔を置いて、永久磁石１８が配置されている。
【００２６】
上側板バネ（前側スプリング）２２はレンズホルダ１４における光軸Ｏ方向上側（前側）に配置され、下側板バネ（後側スプリング）２４はレンズホルダ１４における光軸Ｏ方向下端（後側）に配置される。上側板バネ（前側スプリング）２２と下側板バネ（後側スプリング）２４とは、略同一構成をしている。
【００２７】
上側板バネ（前側スプリング）２２は、レンズホルダ１４に取り付けられた内周側端部２２１と、ヨーク２０に取り付けられた外周側端部２２２と、内周側端部２２１と外周側端部２２２との間を連結するために周方向に沿って設けられた３つのアーム部２２３とを有する。内周側端部２２１は円環状をしている。外周側端部２２２は、内周側端部２２１から離間して設けられ、内周側端部２２１よりも大きい半径を持つ。各アーム部２２３は周方向に沿って延出している。内周側端部２２１と各アーム部２２３との間を連結する内周側連結部２２４は、内周側端部２２１から半径方向外側に突設している。外周側端部２２２と各アーム部２２３との間を連結する外周側連結部２２５は、外周側端部２２２から半径方向内側に突設している。
【００２８】
同様に、図４に示されるように、下側板バネ（後側スプリング）２４は、レンズホルダ１４に取り付けられた内周側端部２４１と、ヨーク２０に取り付けられた外周側端部２４２と、内周側端部２４１と外周側端部２４２との間を連結するために周方向に沿って設けられた３つのアーム部２４３とを有する。内周側端部２４１は円環状をしている。外周側端部２４２は、内周側端部２４１から離間して設けられ、内周側端部２４１よりも大きな半径を持つ。各アーム部２４３は周方向に沿って延出している。内周側端部２４１と各アーム部２４３との間を連結する内周側連結部２４４は、内周側端部２４１から半径方向外側に突設している。外周側端部２４２と各アーム部２４３との間を連結する外周側連結部２４５は、外周側端部２４２から半径方向内側に突設している。
【００２９】
尚、内周側端部２２１、２４１は内輪とも呼ばれ、外周側端部２２２、２４２は外輪とも呼ばれる。
【００３０】
上側板バネ（前側スプリング）２２の内周側端部２２１は、レンズホルダ１４とストッパ２６に挟持されて固定されている。換言すれば、ストッパ２６は、上側板バネ（前側スプリング）２２の内周側端部２２１を、レンズホルダ１４との間で挟持するように、レンズホルダ１４と嵌合する。一方、上側板バネ（前側スプリング）２２の外周側端部２２２は、ヨーク２０とカバー２８との間に挟持され固定されている。
【００３１】
ストッパ２６には、次に述べるような機能がある。すなわち、ストッパ２６は、上側板バネ（前側スプリング）２２の内周側端部２２１をレンズホルダ１４にバラツキなく高精度に密着させる機能を持つ。これにより、ＶＣＭ（ボイス・コイル・モータ）特性のバラツキを改善できる。また、ストッパ２６は、上側板バネ（前側スプリング）２２の接着強度を向上させる機能をもつ。これにより、レンズ駆動装置１０の耐衝撃性を向上させている。さらに、ストッパ２６は、レンズ駆動装置１０の落下衝撃の際の上側板バネ（前側スプリング）２２の変形を防止する機能を持つ。これによっても、レンズ駆動装置１０の耐衝撃性を向上させている。また、ストッパ２６は、レンズ駆動装置１０の機械的ストロークを決める機能を持つ。
【００３２】
尚、後述するように、本実施の形態では、このストッパ２６に、レンズホルダ１４の回転防止機能も付加されている。
【００３３】
一方、下側板バネ（後側スプリング）２４の外周側端部２４２は、スペーサ３０を介してヨーク２０に固定されている。換言すれば、スペーサ３０と下側板バネ（後側スプリング）２４の外周側端部２４２とは、ヨーク２０とアクチュエータ・ベース１２との間に挟持されて固定されている。下側板バネ（後側スプリング）２４の内周側端部２４１は、レンズホルダ１４の下端（後端）側に樹脂の接着力で固定されている。
【００３４】
レンズホルダ１４の筒状部１４０の内周壁には雌ネジ１４２が切られている。一方、図示しないが、レンズ組立体（バレル）の外周壁には、上記雌ネジ１４２に螺合される雄ネジが切られている。従って、レンズ組立体（バレル）をレンズホルダ１４に装着するには、レンズ組立体（バレル）をレンズホルダ１４の筒状部１４０に対して光軸Ｏ周りに回転して光軸Ｏ方向に沿って螺合することにより、レンズ組立体（バレル）をレンズホルダ１４内に収容し、接着剤なとによって互いに結合する。
【００３５】
この際、レンズホルダ１４が一緒に回転しまう恐れがあるが、本実施の形態では、後述するようにして、レンズホルダ１４が回転するのを完全に防止している。
【００３６】
駆動コイル１６に通電することで、永久磁石１８の磁界と駆動コイル１６に流れる電流による磁界との相互作用によって、レンズホルダ１４（レンズア組立体）を光軸Ｏ方向に位置調整することが可能である。
【００３７】
下側板バネ（後側スプリング）２４とベース１２との間には、シート状電極３２が配置されている。このシート状電極３２は、駆動コイル１６に電力を供給するためのものである。また、カバー２８の上端（前端）には、開口３４ａを持つプレート３４が設けられる。
【００３８】
図示の実施の形態では、ストッパ２６は、光軸Ｏに対して１８０°だけ回転させた２回回転対称な位置に設けられた２つのコ字形状の回転防止押え部２６２を持つ。これらコ字形状の回転防止押え部２６２は、レンズア組立体をレンズホルダ１４の筒状部１４０に装着する際に、レンズホルダ１４が回転するのを完全に防止する回転防止部材として働く。すなわち、レンズ組立体のレンズホルダ１４の筒状部１４０への装着時に、２つのコ字形状の回転防止押え部２６２に治具（図示せず）を差し込み保持することで、レンズホルダ１４が回転するのを完全に防止する。この際、ストッパ２６とカバー２８との間のクリアランスは確保（保持）される。
【００３９】
次に、図５乃至図８を参照して、レンズホルダ１４に設けられるバネ外れ防止用ガイド１４４について詳細に説明する。図５は、図３に示したレンズ駆動装置１０を、アクチュエータ・ベース１２とシート状電極３２とを外した状態で、斜め下方から見た組立て斜視図である。図６は図５の円で囲んだ部分を拡大して示す部分拡大図である。図７は図５に示したレンズ駆動装置１０の部分断面図である。図８は図７中のバネ外れ防止用ガイド１４４の部分を拡大して示す部分拡大断面図である。
【００４０】
レンズホルダ１４は、下側板バネ２４がレンズホルダ１４から外れるのを防止するための３個のバネ外れ防止用ガイド１４４（但し、図３及び図５では、２個のみ図示してある）を有する。３個のバネ外れ防止用ガイド１４４は、それぞれ、下側板バネ２４の３個の内周側連結部２４４を支持する。
【００４１】
このように、レンズホルダ１４がバネ外れ防止用ガイド１４４を備えているので、レンズ駆動装置１０に衝撃が加わっても、下側板バネ２４がレンズホルダ１４から外れるのを防止することができる。これにより、レンズ駆動装置１０の耐衝撃性（信頼性）を向上させることができる。また、３個のバネ外れ防止用ガイド１４４は、下側板バネ２４とレンズホルダ１４との間の回転方向における位置決め用基準としての機能も有する。
【００４２】
駆動コイル１６は、一対の引出し線１６２を持つ。３個のバネ外れ防止用ガイド１４４の中の２個のバネ外れ防止用ガイド１４４は、それぞれ、一対の引出し線１６２を引き出すための引出し用穴１４４ａを持つ。この引出し用穴１４４ａは、図８に示されるように、すり鉢形状をしている。
【００４３】
従来のレンズ駆動装置においては、駆動コイル１６の一対の引出し線１６２を、下側板バネ２４のアーム部２４３の隙間を通して、シート状電極３２に接続している。その結果、引出し線１６２が断線してしまうという懸念がある。
【００４４】
これに対して、本実施の形態では、２個のバネ外れ防止用ガイド１４４が引出し用穴１４４ａを持っているので、駆動コイル１６の一対の引出し線１６２を、バネ外れ防止用ガイド１４４の引出し用穴１４４ａを通して、シート状電極３２に接続することができる。その結果、引出し線１６２の断線を回避することができる。また、引出し用穴１４４ａがすり鉢形状をしているので、駆動コイル１６の一対の引出し線１６２を、容易に通すことができる。従って、レンズ駆動装置１０の組立て性（作業性）を向上させることができる。
【００４５】
以上、本発明についてその好ましい実施の形態によって説明してきたが、本発明の精神を逸脱しない範囲内で、種々の変形が当業者によって可能であるのは明らかである。例えば、上述した実施の形態では、バネ外れ防止用ガイド１４４にすり鉢形状の引出し用穴１４４ａを形成しているが、穴の代わりに、切り欠きや引っ掛け可能な形状を持つ突起を設けても良い。また、バネ外れ防止用ガイド１４４も上述した実施の形態のものに限定されない。例えば、レンズホルダ１４の一部を突出した複数の突起部を設けておき、それら複数の突起部を下側板バネ２４に開いた穴に装着後に、それら複数の突起部を熱溶着して、下側板バネ２４の外れ防止用ガイドとしても良い。さらに、上述した実施の形態では、レンズホルダ１４に３個のバネ外れ防止用ガイド１４４を設けているが、一般には、Ｎ個（Ｎは２以上の整数）のバネ外れ防止用ガイドをレンズホルダに設けてもよい。
【図面の簡単な説明】
【００４６】
【図１】本発明の一実施の形態によるレンズ駆動装置の外観斜視図である。
【図２】図１に示したレンズ駆動装置の断面図である。
【図３】図１に示したレンズ駆動装置の分解斜視図である。
【図４】図３に示したレンズ駆動装置に使用される下側板バネを示す平面図である。
【図５】図３に示したレンズ駆動装置を、アクチュエータ・ベースとシート状電極とを外した状態で、斜め下方から見た組立て斜視図である。
【図６】図５の円で囲んだ部分を拡大して示す部分拡大図である。
【図７】図５に示したレンズ駆動装置の部分断面図である。
【図８】図７中のバネ外れ防止用ガイドの部分を拡大して示す部分拡大断面図である。
【符号の説明】
【００４７】
１０    レンズ駆動装置
１２    アクチュエータ・ベース
１４    レンズホルダ
１４０    筒状部
１４２    雌ネジ
１４４    バネ外れ防止用ガイド
１４４ａ    引出し用穴
１６    駆動コイル
１６２    引出し線
１８    永久磁石
２０    ヨーク
２２    上側板バネ
２２１    内周側端部（内輪）
２２２    外周側端部（外輪）
２２３    アーム部
２２４    内周側連結部
２２５    外周側端部
２４    下側板バネ
２４１    内周側端部（内輪）
２４２    外周側端部（外輪）
２４３    アーム部
２４４    内周側連結部
２４５    外周側連結部
２６    ストッパ
Ｏ    光軸
【図１】
2009210724.tif 000003
【図２】
2009210724.tif 000004
【図３】
2009210724.tif 000005
【図４】
2009210724.tif 000006
【図５】
2009210724.tif 000007
【図６】
2009210724.tif 000008
【図７】
2009210724.tif 000009
【図８】
2009210724.tif 000010